(57)【特許請求の範囲】
【請求項１】
カメラボディに支持され、正逆に回転駆動されると光軸方向に進退するズームレンズ鏡筒；
カメラボディ内に収納され、正逆回転する回転軸を有するズームモータ；
カメラボディ内に収納され、ズームモータの回転軸の回転動作をズームレンズ鏡筒に伝達するズームギヤ列；及び
カメラボディ内に収納される電池；
を備えたズームレンズカメラにおいて、
上記ズームモータを収納する筒状のズームモータ収納部と、上記ズームギヤ列を構成する複数のギヤの少なくとも一部を軸支するズームギヤ列収納部と、上記電池を収納する筒状の電池収納部を、ズームモータと電池のそれぞれの長手方向がカメラの上下方向に向くようにズームモータ収納部と電池収納部が配置され、かつズームモータ収納部とレンズ鏡筒との間に減速ギヤ列を位置させる、一体成型の収納ユニットとして形成したことを特徴とするズームレンズカメラ。
【請求項２】
請求項１記載のズームレンズカメラにおいて、収納ユニットは、カメラボディ内に形成されたフィルムパトローネの収納室に隣接して設置され、該設置状態でズームモータ収納部と電池収納部に収納されるズームモータと電池のそれぞれの長手方向がフィルムパトローネ収納室の軸線と略平行となるズームレンズカメラ。
【請求項３】
請求項２記載のズームレンズカメラにおいて、収納ユニットのズームモータ収納部は電池収納部よりも小径に形成され、
カメラボディ内に、フィルムパトローネ収納室の一部を形成する部分円筒状壁の凸状外周面と、該凸状外周面に対向するカメラボディの内面とに挟まれる、一部を幅狭とした収納空間を備え、
この収納空間に、上記幅狭部に小径のズームモータ収納部を位置させて収納ユニットが収納されるズームレンズカメラ。
【請求項４】
請求項１ないし３いずれか１項記載のズームレンズカメラにおいて、収納ユニットは、カメラボディのグリップ内に配されているズームレンズカメラ。
【発明の詳細な説明】
【０００１】
【技術分野】
本発明は、ズームレンズカメラに関する。
【０００２】
【従来技術及びその問題点】
ズームレンズカメラでは、ズームレンズの駆動機構（ズームモータ、ズームギヤ列）を取り付ける部分と、該ズーム駆動機構を含む各部の電源となる電池の収納部とは、それぞれ別体で構成され、個別にカメラボディに固定されていた。しかし、ズームレンズ駆動機構の収納部と電池の収納部を、スペースに無駄が出ないように効率良く配置することは難しく、また、それらを個別に組み立てていくのは手間がかかる。
【０００３】
【発明の目的】
本発明は、カメラボディ内部の省スペース化、及び組立性の向上が可能なズームレンズカメラを提供することを目的とする。
【０００４】
【発明の概要】
本発明は、カメラボディに支持され、正逆に回転駆動されると光軸方向に進退するズームレンズ鏡筒、カメラボディ内に収納され、正逆回転する回転軸を有するズームモータ、カメラボディ内に収納され、ズームモータの回転軸の回転動作をズームレンズ鏡筒に伝達するズームギヤ列、及びカメラボディ内に収納される電池を備えたズームレンズカメラにおいて、ズームモータを収納する筒状のズームモータ収納部と、ズームギヤ列を構成する複数のギヤの少なくとも一部を軸支するズームギヤ列収納部と、電池を収納する筒状の電池収納部を、ズームモータと電池のそれぞれの長手方向がカメラの上下方向に向くようにズームモータ収納部と電池収納部が配置され、かつズームモータ収納部とレンズ鏡筒との間に減速ギヤ列を位置させる、一体成型の収納ユニットとして形成したことを特徴としている。
【０００５】
収納ユニットはフィルムパトローネの収納室に隣接して設置され、ズームモータ収納部と電池収納部に収納されるズームモータと電池のそれぞれの長手方向がフィルムパトローネ収納室の軸線と略平行になることが望ましい。さらに、ズームモータ収納部を電池収納部よりも小径に形成するとともに、カメラボディ内には、フィルムパトローネ収納室の一部を形成する部分円筒状壁の凸状外周面と、該凸状外周面に対向するカメラボディの内面とに挟まれる、一部を幅狭とした収納空間を形成し、この収納空間内に対し、上記幅狭部に小径のズームモータ収納部を位置させた状態で収納ユニットを収納することが好ましい。
【０００６】
ズームギヤ列収納部は、ズームレンズ鏡筒とズームモータ収納部に挟まれて位置されていることが望ましい。また、収納ユニットは、カメラボディのグリップ内に配されていることが好ましい。
【０００７】
【発明の実施の形態】
図１に示すズームレンズカメラは、カメラボディ１１の正面の略中央にズームレンズ鏡筒１２を有している。このズームレンズ鏡筒１２は、大径のズームギヤ１２ａを正逆に回転駆動することによって、カメラボディ１１に対して光軸方向（光軸Ｏと平行な方向）へ進退して焦点距離を変えるように構成されている。
【０００８】
図２に示すように、カメラボディ１１の正面の一部は、前方に張り出したグリップ部１３となっている。このグリップ部１３の後方（カメラの背面方向）には、フィルムパトローネ１４を収納するためのパトローネ室１５が形成されている。カメラボディ１１の背面側には開閉可能な裏蓋（不図示）が設けられており、この裏蓋を開けることによって、パトローネ室１５にフィルムパトローネ１４を着脱することができ、裏蓋を閉成するとパトローネ室１５は筒状になってフィルムパトローネ１４を保持する。パトローネ室１５に装填した状態のフィルムパトローネ１４は、スプール軸１４ａの軸線がカメラボディ１１の上下方向に向いている。図２中の符号１６は、フィルムパトローネ１４を安定保持するための押さえばねで、符号１７は、パトローネのＤＸ情報を読み取るためのＤＸ接片である。
【０００９】
パトローネ室１５の前方のグリップ部１３内には、収納ユニット２０が取り付けられている。収納ユニット２０は、電池収納部２０ａ、ズームモータ収納部２０ｂ、そして、減速ギヤ列収納部２０ｃの各部からなっており、例えばプラスチックの一体成型品として形成される。この収納ユニット２０は、グリップ部１３内において、カメラボディ１１の前後方向には、カメラボディ１１の前壁とパトローネ室１５に挟まれる位置に、カメラボディ１１の左右方向には、ズームレンズ鏡筒１２とカメラボディ１１の側壁に挟まれる位置に固定される。図１及び図２に示すように、収納ユニット２０の固定状態では、カメラの左右方向には、ズームレンズ鏡筒１２に近い側から、減速ギヤ列収納部２０ｃ、ズームモータ収納部２０ｂ、電池収納部２０ａの順で位置している。収納ユニット２０をカメラボディ１１に固定するには、該収納ユニット２０をカメラシャーシに直接固定してもよいし、カメラシャーシに固定されたズームレンズ鏡筒のハウジングなどを介して取り付けてもよい。
【００１０】
電池収納部２０ａは、円筒状の電池２１に対応する有底の筒状の電池収納空間２２を内部に有している。電池収納空間２２は、その軸線が、パトローネ室１５に収納されたフィルムパトローネ１４のスプール軸１４ａと略平行になるように形成されている。従って、該電池収納空間２２に収納された電池２１の軸線方向もスプール軸１４ａと略平行となり、電池２１はその長手方向をカメラボディ１１の上下方向に向けて収納される。図示しないが、電池収納部２０ａは、カメラの底面側の端面に、電池収納空間２２と外部を連通する開口部を有している。カメラボディ１１の底面の一部には、電池収納部２０ａの開口部から電池２１を挿脱させるための開閉蓋（不図示）が設けられている。この開閉蓋は電気接片を備えており、閉成した状態でロックすると、該接片が電池２１の一端の電極（＋極）に接触する。一方、電池収納部２０ａの底部２３には、ばね性を有する電気接片２４を取り付けることができ、電池２１の収納状態では、該電気接片２４が電池２１の他方の電極（−極）に弾接する。この一対の電気接片は、カメラの電源回路を構成している。
【００１１】
電池収納部２０ａに隣接するズームモータ収納部２０ｂは、円筒状のズームモータ２５に対応する筒状のズームモータ収納空間２６を内部に有している。電池収納空間２２と同様に、ズームモータ収納空間２６は、その軸線がスプール軸１４ａと略平行になるように形成されている。従って、ズームモータ２５は、その軸線がスプール軸１４ａと略平行な状態で、長手方向をカメラボディ１１の上下方向に向けてズームモータ収納空間２６に収納される。ズームモータ収納部２０ｂには、カメラの上面側に向けて、ズームモータ収納空間２６の内外を連通する開口部２７が設けられている。ズームモータ２５は、軸線方向に突出する出力軸（回転軸）２５ａをカメラの底面側に向けて、開口部２７からズームモータ収納空間２６内に収納され、出力軸２５ａに固定されたウォーム２８の一部が、減速ギヤ列収納部２０ｃ側に露出する。ズームモータ２５は、図示しないズーム制御回路を介して上記電源回路と接続されている。カメラは外部から操作可能なズーム操作手段（不図示）を備えており、ズーム制御回路は、該ズーム操作手段の操作に応じて電流を制御し、ズームモータ２５の出力軸２５ａの回転方向を正逆に切り換え、または回転を停止させることができる。
【００１２】
図２に示すように、パトローネ室１５は、カメラボディ１１の前側に向けて凸型となる部分円筒形状を有しており、グリップ部１３の内部では、このパトローネ室１５の凸部（の外周面）とカメラボディ１１の前側壁との隙間が狭くなっている。一方、ズームモータ収納空間２６は電池収納空間２２よりも小径である。収納ユニット２０は、パトローネ室１５の凸部によって幅狭となる部分に、小径のズームモータ収納空間２６を位置させて固定されている。
【００１３】
減速ギヤ列収納部２０ｃには、複数の回動軸３０ａ〜３０ｄ、３０ｆ、３０ｇが突設されている。それぞれの回動軸の軸線は、ズームレンズ鏡筒１２の光軸Ｏと略平行である。回動軸３０ａ〜３０ｄにはそれぞれ、減速ギヤ列３１を構成するダブルギヤ３１ａ〜３１ｄが回転自在に支持されており、回動軸３０ｆ、３０ｇにはそれぞれ、減速ギヤ列３１を構成する平ギヤ３１ｆ、３１ｇが回転自在に支持されている。また、ダブルギヤ３１ｅは、その回動軸３０ｅが、減速ギヤ列収納部２０ｃに形成した軸受孔３２に回転自在に支持されている。支持状態では、回動軸３０ｅの軸線も光軸Ｏと略平行をなしている。
【００１４】
減速ギヤ列３１を取り付けた状態では、ダブルギヤ３１ａの大径ギヤが上記ウォーム２８と噛み合っている。減速ギヤ列３１を構成する各ギヤは、光軸Ｏと平行な方向に歯が形成されているが、ダブルギヤ３１ａの大径ギヤのみはハスバギヤであり、ウォーム２８に噛み合って、出力軸２５ａの回転を直交変換することができる。ダブルギヤ３１ａの小径ギヤには次のダブルギヤ３１ｂの大径ギヤが噛み合っており、以下、ダブルギヤ３１ｅまでは、原動側（ズームモータ２５側）のダブルギヤの小径ギヤに次のダブルギヤの大径ギヤが噛み合っている。さらに、ダブルギヤ３１ｅの小径ギヤには平ギヤ３１ｆが噛み合い、該平ギヤ３１ｆには平ギヤ３１ｇが噛み合っている。
【００１５】
すなわち、減速ギヤ列３１は、光軸と略平行な回動軸を中心に回転する複数のギヤから構成され、それぞれのギヤを、減速ギヤ列収納部２０ｃに形成した回動軸（ダブルギヤ３１ｅのみは軸受孔３２）に支持させることで、その位置が決まる。
【００１６】
減速ギヤ列収納部２０ｃにはさらに、減速ギヤ列３１を保持させるための押さえ板３３が取り付けられる。押さえ板３３には、上記の各ギヤの回動軸（回動軸３０ｇを除く）の端部に対応する位置に複数の軸受孔３４が穿設されている。また、押さえ板３３には、２つのビス孔３５ａ、３５ｂが穿設されており、減速ギヤ列収納部２０ｃには、ビス孔３５ａに対応させて、上記回動軸３０ｇの軸部にビス孔３６ａが形成され、ビス孔３５ｂに対応させてビス孔３６ｂが形成されている。
【００１７】
減速ギヤ列３１の組み付けに際しては、減速ギヤ列３１を減速ギヤ列収納部２０ｃに組み付けた後、各ギヤの回動軸の端部を軸受孔３４に嵌入させて、押さえ板３３の取り付け位置を決める。続いて、押さえ板３３のビス孔３５ａ、３５ｂを通して、減速ギヤ列収納部２０ｃのビス孔３６ａ、３６ｂに一対の固定用ビス３７を締め込むと、減速ギヤ列収納部２０ｃに対して押さえ板３３が固定され、減速ギヤ列３１の各ギヤが回転自在に支持されるとともに、その脱落が防止される。
【００１８】
図１に示すように、収納ユニット２０に減速ギヤ列３１を組み付けた状態では、減速ギヤ列３１は、ズームモータ２５とズームレンズ鏡筒１２に挟まれるスペースに位置され、カメラボディ１１の上下方向に並んでいる。
【００１９】
カメラボディ１１には、回動軸３８ａを中心に回転自在なピニオン３８が設けられている。ピニオン３８はズームギヤ１２ａに噛み合っており、さらに、収納ユニット２０をカメラボディ１１内に固定すると、減速ギヤ列３１の平ギヤ３１ｇがピニオン３８に噛み合う。
【００２０】
従って、ズームモータ２５の出力軸２５ａの回転は、ウォーム２８とハスバギヤを介して、出力軸２５ａとは回転軸を略直交させている減速ギヤ列３１に伝達され、この減速ギヤ列３１で減速されてからピニオン３８を介して回転力がズームギヤ１２ａに伝えられる。これにより、ズームモータ２５の出力軸２５ａの正逆回転に応じて、ズームレンズ鏡筒１２が光軸方向に進退され、焦点距離を変化させる。
【００２１】
以上のように、電池収納部２０ａ、ズームモータ収納部２０ｂ、減速ギヤ列収納部２０ｃをユニット化することにより、各部をスペース効率良く配置することができる。また、減速ギヤ列３１やズームモータ２５を収納ユニット２０に組み付けてから、この収納ユニット２０をカメラボディ１１内に固定することができるので、ズームレンズの駆動機構と電池の収納部を一度に組み立てることができ、作業性がよい。この収納ユニット２０は、カメラボディ１１の前方に張り出したグリップ部１３の内部に収められており、グリップ部１３内のスペースが有効に利用されている。なお、ズームモータ２５は、収納ユニット２０をカメラボディ１１に固定した後に取り付けてもよい。
【００２２】
本実施形態のように、横長形状のカメラボディの正面中央に鏡筒を有するズームレンズカメラでは、鏡筒を挟むカメラの左右位置（横位置）にパトローネ室と巻上スプール室がそれぞれ配されており、フィルムパトローネのスプールと巻上スプールの軸線は、カメラの上下方向（縦方向）に向いているのが一般的である。そして、収納ユニットをパトローネ室に隣接して配置する場合には、筒状のズームモータ収納室や電池収納室の軸線方向は、フィルムパトローネの収納室の軸線方向と略平行にすることがスペース効率上望ましい。前述したように、収納ユニット２０は、それぞれ円筒状をなす電池収納空間２２とズームモータ収納空間２６は、その軸線方向が、パトローネ室１５の軸線方向と略平行になるように形成されているため、収納ユニット２０がパトローネ室１５に干渉することがなく、効率的な配置が達成されている。
【００２３】
また、ズームモータ２５とズームレンズ鏡筒１２に挟まれるスペースに減速ギヤ列３１を配するように収納ユニット２０を形成することで、一層の省スペース化が達成される。このスペース内で所定の減速比を得るために、減速ギヤ列３１は、ズームモータ２５や電池２１の軸線方向と同様に、カメラボディ１１の上下方向に並んでいるが、該方向は、スプール軸１４ａ、ズームモータ２５、及び電池２１の長手方向と略一致しているため、以上の各部と干渉しない。なお、実施形態では、減速ギヤ列３１を介して、カメラの底面側（ズームモータ２５の出力軸２５ａ）から、カメラの上面側（ピニオン３８）に駆動力が伝達されるが、モータの出力軸と減速ギヤ列の最終ギヤ（ピニオン）の位置関係を反対にして、カメラの上面側から底面側へ駆動力を伝達させてもよい。また、減速ギヤ列の全ギヤを収納ユニットに支持させるのではなく、上記のピニオン３８のように一部のギヤをカメラボディ１１に直接に軸支させ、収納ユニットを固定したときに減速ギヤ列が完成するようにしてもよい。
【００２４】
【発明の効果】
以上のように、ズームモータ収納部とズームギヤ列収納部と電池収納部を、ズームモータと電池のそれぞれの長手方向がカメラの上下方向に向くようにズームモータ収納部と電池収納部が配置され、かつズームモータ収納部とレンズ鏡筒との間に減速ギヤ列を位置させるようにしてユニット化することにより、各部を効率良く配置してズームレンズカメラ内の省スペース化を図ることができ、また、ズームレンズカメラの組立性を向上させることができる。
【図面の簡単な説明】
【図１】ズームレンズカメラの一部を透視して示す正面図である。
【図２】図１のII−II線に沿って示す断面図である。
【図３】収納ユニットと、該収納ユニットに取り付けられる各部材を表す分解斜視図である。
【符号の説明】
１１  カメラボディ
１２  ズームレンズ鏡筒
１２ａ  ズームギヤ
１３  グリップ部
１４  フィルムパトローネ
１４ａ  スプール軸
２０  収納ユニット
２０ａ  電池収納部
２０ｂ  ズームモータ収納部
２０ｃ  減速ギヤ列収納部
２１  電池
２２  電池収納空間
２５  ズームモータ
２５ａ  出力軸
２６  ズームモータ収納空間
２８  ウォーム
３０ａ〜３０ｄ、３０ｆ、３０ｇ  回動軸
３１  減速ギヤ列
３２  軸受孔
３３  押さえ板
３４  軸受孔
３７  固定用ビス
３８  ピニオン
【図１】
0003777036.tif 000002
【図２】
0003777036.tif 000003
【図３】
0003777036.tif 000004